(57)【要約】本発明は、車両コンポーネントの、特に第１（２）及び第２（３）継手部品が回転軸（Ｄ）に沿って配置される車両シートバックレストの調整装置に関する。２つの継手部品の相対位置が変更され得る。駆動部によってトルクが第２継手部品（３）上を回転するギア（４）に伝達されることにより、第２継手部品が調整される。本発明はさらに、車両コンポーネントの、特に自動車シートシートバックの調整装置のギアに関する。
2013544147.tif 000002
【特許請求の範囲】
【請求項１】
車両コンポーネントの、特に第１継手部品（２）及び第２継手部品（３）が回転軸（Ｄ）に沿って配列される車両シートバックレストの調整装置であって、
２つの前記継手部品（２、３）の相対位置は、トルクを駆動ユニット（９）からギアホイール（４）へ伝達する偏心器（５）によって変更され、
前記ギアホイールは前記第２継手部品（３）上を回転し、
前記第２継手部品（３）は好ましくは２つの偏心器手段（５．１）を含み、
前記調整装置は、その自己調整を少なくとも実質的に防止するブレーキ手段（８）を含み、
前記ブレーキ手段（８）は、前記ギアホイール（４）に設けられるロック外形（４．２、１１、１３）と協働する調整装置。
【請求項２】
前記ロック外形（４．２、１１、１３）は、前記ギアホイールの内径領域に設けられる、請求項１に記載の調整装置。
【請求項３】
前記ブレーキ手段（８）は、少なくとも一つの好ましくは２つのアームを有し、
前記アームの両端にはいずれの場合も阻止要素が設けられる、請求項１又は２に記載の調整装置。
【請求項４】
前記ロック外形（４．２、１１、１３）は、摩擦接続及び／又は材料接続によって前記ギアホイール（４）に接続される、請求項１から３のいずれか一項に記載の調整装置。
【請求項５】
前記ロック外形（４．２、１１、１３）は、前記ギアホイール（４）と一体的に設けられる、請求項１から３のいずれか一項に記載の調整装置。
【請求項６】
各アームは傾斜部を含み、
前記傾斜部は、例えば駆動手段と協働することによって前記ブレーキ手段を任意にアンロックする、請求項３から５のいずれか一項に記載の調整装置。
【請求項７】
車両コンポーネントの、特に第１継手部品（２）及び第２継手部品（３）が回転軸（Ｄ）に沿って配列される車両シートバックレストの調整装置であって、
２つの前記継手部品（２、３）の相対位置は、トルクをギアホイール（４）に伝達する駆動ユニット（９）によって変更され、
前記ギアホイール（４）は前記第２継手部品（３）上を回転し、
前記ギアホイールの支承部の軸方向の延びが、前記ギアホイールの歯の軸方向の延びよりも大きい調整装置。
【請求項８】
前記ギアホイール（４）は密封表面（４．４）を有する、請求項７又は請求項７のプリアンブルに記載の調整装置。
【請求項９】
前記密封表面は径方向に設けられる、請求項８に記載の調整装置。
【請求項１０】
前記密封表面（４．４）は、カバー及び／又は駆動手段と密封的に協働する、請求項８又は９に記載の調整装置。
【請求項１１】
調整装置のギアホイールであって、
歯から始まって円環形状表面を径方向内側に有する軸方向段部を有し、
好ましくは前記円環形状表面上で前記調整装置及び／又は駆動手段の保持プレートが特に密封的に支承されるギアホイール。
【請求項１２】
調整装置のギアホイールであって、
滑らかな密封用支承表面を含み、
前記支承表面は好ましくは、前記調整装置のカバー及び／又は駆動手段と密封的に協働して前記調整装置の内部を特に塗料の適用から保護するギアホイール。
【発明の詳細な説明】
【技術分野】
【０００１】
本発明は、車両コンポーネントの、特に第１継手部品及び第２継手部品が回転軸に沿って配列される車両シートバックレストの調整装置に関する。２つの継手部品同士の相対的位置を変更することができる。トルクが駆動ユニットから第２継手部品上で回転するギアホイールに伝達される結果、第２継手部品が調整される。本発明はさらに、車両コンポーネントの、特に自動車シートバックレストの調整装置ギアホイールに関する。
【背景技術】
【０００２】
このような調整装置は、例えば自動車製造業においてリクライナとも称され、先行技術より十分に周知である。しかしながら、このような調整装置は、摩耗及び／又は振動の結果、自己調整を行う。これは望ましくない。
【先行技術文献】
【特許文献】
【０００３】
【特許文献１】国際公開第２０１０／１０２４１３（Ａ１）号パンフレット
【特許文献２】独国特許出願公開第１９５００９１４（Ａ１）号明細書
【発明の概要】
【０００４】
したがって、本発明の課題は、先行技術の欠点がない調整装置を与えることにある。
【０００５】
本課題は、車両コンポーネントの、特に第１継手部品及び第２継手部品が回転軸に沿って配列される車両シートバックレストの調整装置によって解決される。２つの継手部品の相対位置は、トルクを駆動ユニットからギアホイールへ伝達する偏心器によって変更され、前記ギアホイールは第２継手部品上を回転し、第２継手部品は好ましくは２つの偏心器手段を含み、調整装置は、その自己調整を少なくとも実質的に防止するブレーキ手段を含み、前記ブレーキ手段は、ギアホイールに設けられるロック外形と協働する。
【０００６】
好ましくは、ブレーキ手段は、少なくとも一つの好ましくは２つのアームを有し、当該単数又は複数のアームは、特に弾性的態様で設けられる。各アームは好ましくは、その少なくとも一端に阻止要素を有する。阻止要素は、偏心器がロック外形に対して自己調整されることを防止する。ロック外形は、ギアホイールに又は調整装置のさらなる部品に設けられる。各阻止要素は、ロック外形と摩擦嵌め及び／又は形状嵌めのロック態様で、好ましくは複数の異なる位置で協働する。ブレーキ手段は、好ましくは双方の回転方向における自己調整を防止する。阻止要素は、一方向のみで阻止することが好ましい。ロック外形は好ましくは、複数の摩擦嵌め及び／又は形状嵌め接続手段を有する。例えば、互いに等距離に配列されるのが好ましい歯又は歯状構造である。好ましくは、ロック外形は、円環形状の態様に配列される。
【０００７】
好ましくは、各アームには、弾性的態様でプリテンションが与えられる。その結果、各アームは阻止要素を、例えばロック外形又はリクライナのさらなる要素に対して押圧する。
【０００８】
さらに好ましくは、アームは傾斜部を含み、当該傾斜部は、例えば駆動手段と協働しすることによってブレーキ手段を任意にアンロックする。これは、特に、ブレーキ手段のアームがそのプリテンション方向に対抗して弾性変形されることによって行われる。
【０００９】
好ましくは、ロック外形は、ギアホイールの内径領域に設けられる。特に好ましくは、ロック外形は、摩擦接続及び／又は材料接続によってギアホイールに接続される。代替的に、ロック外形は、ギアホイールと一体的に設けられる。好ましくは又は本発明によれば、ギアホイールは、特に前記ギアホイールの内側周縁に、例えばブレーキ手段の阻止要素が阻止態様で協働することができる刻み目にロック外形を含む。
【００１０】
本発明のさらなる主題又は好ましい主題は、車両コンポーネントの、特に第１継手部品及び第２継手部品が回転軸に沿って配列される車両シートバックレストの調整装置である。駆動ユニットによって、２つの継手部品同士の相対的位置を変更することができる。駆動ユニットは、第２継手部品上で回転するギアホイールにトルクを伝達する。ギアホイールの支承部の軸方向の延びが、当該ギアホイールの歯の軸方向の延びよりも大きい。その結果、ギアホイールの取り付けがさらに安定する。
【００１１】
本発明のさらに好ましい又は発明的な主題によれば、ギアホイールは密封表面を有する。この密封表面によって、塵、塗料、又は液体が調整装置に入り込むことが防止される。好ましくは、密封表面は径方向に設けられる。
【００１２】
好ましくは、密封表面は、本発明に係る調整装置のカバー及び／又は駆動手段と密封的に協働する。
【００１３】
本発明のさらなる又は好ましい主題は、特に自動車シートバックレストの調整装置のギアホイールである。前記ギアホイールは、歯から始まる軸方向段部を径方向内側に有するように設けられる。その結果、例えば調整装置の保持プレート及び／又は駆動手段が特に密封的に支承する円環形状表面がもたらされる。
【００１４】
さらに好ましくは又は本発明によれば、ギアホイールは、特に滑らかな密閉用支承表面を含み、当該支承表面は、例えばカバー及び／又は駆動手段と密封的に協働し、調整装置の内部を特に塗料の適用から保護する。
【００１５】
図１から４を参照して本発明が以下に記載される。当該説明は、単なる例示として与えられ、すべての発明に等しく当てはまる。
【図面の簡単な説明】
【００１６】
【図１】本発明に係る調整装置の分解図を示す。
【図２】ブレーキ手段を示す。
【図３】ブレーキ手段のさらなる実施例を示す。
【図４】本発明に係るギアホイールを示す。
【発明を実施するための形態】
【００１７】
図１は、本発明に係る調整装置の一実施例の分解図である。調整装置は、第１継手部品２すなわちシート部品アダプタ、及び第２継手部品３すなわちバックレストアダプタを有する。バックレストアダプタは、車両シートのバックレストに直接的に又は間接的に接続される。シートアダプタ２は、この場合はねじによって車両シートに締結される。シートアダプタ２には、外歯を有するギアホイール４が回転可能に設けられる。前記外歯は、バックレストアダプタの歯と噛合によって協働する。その結果、バックレストアダプタの角度が調整される。バックレストアダプタ３は、車両シートのバックレストに接続、好ましくは溶接される。当業者であれば、２つのアダプタ２及び３の当該機能が互換可能なことがわかる。バックレストアダプタ３のシートアダプタ２に対する相対位置は、２つのウェッジ５を有する偏心器によって変更される。前記２つのウェッジ５は、好ましくは対称的に配列され、特に好ましくは回転軸Ｄを通って延びる平面に対して鏡面対称に配列される。２つのウェッジ５は、エネルギー蓄積装置、この場合はばね７、好ましくは、ウェッジ５にあるノッチにいずれの場合も両端が係合する環状ばねによって強制的に分離される。エネルギー蓄積装置７は偏心器の一部をなす。さらに、ウェッジ５は、好ましくは少なくとも部分的に支承シェル６の中に配列されてこれに支持される。支承シェル６によって、偏心器とギアホイール４との間の摩擦を低減することができる。また、偏心器の均一な動作を達成することができる。さらに、本発明に係る装置は駆動手段９を含む。駆動手段９は、手動又はモータの形態で駆動される。前記駆動手段９は、その回転動を偏心器５に伝達する。その結果、駆動ユニット９が回転すると、ギアホイール４は、内歯付きバックレストアダプタ３内で回転する。
【００１８】
偏心器は、すでに述べたように、内歯付きリングの内側にある外歯付きギアホイール４を駆動する役割を果たす。内歯付きリングは、外歯付きリングに対し少なくとも一つのさらなる歯を含む。したがって、これは、いわゆる波打ちギア機構であることが好ましい。
【００１９】
本発明によれば、装置はブレーキ手段８を含む。ブレーキ手段８は、第１継手部品２が、第２継手部品３に対して自己調整、すなわち駆動手段９が作動することなく自己調整されることを防止する。
【００２０】
図２は、ブレーキ手段８の第１実施例を示す。前記ブレーキ手段は２つのアーム８．２を含む。その両端には、いずれの場合も阻止要素８．１が配置される。特に図２ｂからわかるように、前記阻止要素８．１は、偏心器ドライブ５の突起５．１とロック外形、この場合は固定リング１３との間において阻止態様で協働する。固定リング１３は、本実施例の場合、ギアホイール４に又はギアホイール４と一体的に設けられる。その結果、自己調整力Ｆは、例えばギアホイール４に対する又は調整装置の異なる部品に対する偏心器の動きを生じさせることができない。好ましくは、いずれの場合も阻止要素８．１は、一回転方向のみの阻止態様で機能する。アーム８．２には本実施例の場合、プリテンションが与えられる。その結果、アーム８．２は、いずれの場合も阻止要素８．１に、ロック外形１３の方向にその凹部の一つの中へのプリテンションを与える。ブレーキ手段８のアンロックが図２ｃに示されている。例えば矢印１４によって示されるように駆動手段９が回転するとすぐに、いずれの場合もアンロック手段９．１が、この場合は３次元的に形成されているアーム８．２上の一つの対応アンロック傾斜部８．３と協働する。その結果、アーム８．２が径方向内向きに押圧されるので、阻止要素８．１が固定リング１３との係合から外れる。すなわち、調整装置は、駆動手段９によって双方の回転方向に調整することができる。
【００２１】
図３は、図２に係るロック手段の特定の一実施例を示す。本実施例の場合、ブレーキ手段８は一つのアーム８．２のみを有する。径方向アーム８．４が、ブレーキ手段８の他側部に設けられる。前記径方向アームは、アンロック表面９．１と協働することなく超過移動を許容する。これにより、調整装置が回転するときのがたつき音が回避される。
【００２２】
図４は、本発明に係るギアホイール４を示す。ギアホイール４は、本実施例の場合、軸方向段部４．１を有する。軸方向段部４．１は、例えば保持プレート１０のための支承表面として設けられる。さらに、ギアホイールは、特にその内側周縁領域に、ロック外形４．２を有する。ロック外形４．２は、例えばブレーキ手段８と協働することができる。前記ロック外形は、例えば、ギアホイールが作られる金属プレートに一体的に形成される。好ましくは又は本発明によれば、内側支承部４．３が、ギアホイール４の歯の左右に向かって、好ましくはいずれの場合も同じ長さで軸方向に延びるように設けられる。これにより、ギアホイールのさらに安定した取り付けが得られる。さらに好ましくは又は本発明によれば、ギアホイール４は、密封表面４．４、この場合は円環形状密封表面を有する。これは特に、滑らかな設計であり、例えば駆動ユニット９のカバーと密封的に協働する。したがって、調整装置の特に内部を、塵及び／又は塗装中の塗料の侵入から保護することができる。
【符号の説明】
【００２３】
１  調整装置
２  第１継手部品、シート部品アダプタ
３  第２継手部品
４  ギアホイール
４．１  軸方向段部、支承表面
４．２  ロック外形、刻み目
４．３  内側支承部
４．４  密封表面
５  偏心器、ウェッジセグメント
５．１  突起
６  滑り軸受
７  ばね手段
８  ブレーキ手段
８．１  阻止要素
８．２  アーム、ばね手段
８．３  傾斜部
８．４  径方向アーム
９  駆動手段
９．１  アンロック手段、アンロック表面
１０  保持プレート
１１  ロック外形、固定リング
１２  保持リング
１３  ロック外形、固定リング
１４  矢印
１５  伝達手段、トルク伝達手段
１５．１  傾斜部
Ｄ  回転軸
Ｆ  自己調整力
【図１】
2013544147.tif 000003
【図２】
2013544147.tif 000004
【図３】
2013544147.tif 000005
【図４】
2013544147.tif 000006
【手続補正書】
【提出日】平成25年5月31日(2013.5.31)
【手続補正１】
【補正対象書類名】特許請求の範囲
【補正対象項目名】請求項８
【補正方法】変更
【補正の内容】
【請求項８】
前記ギアホイール（４）は密封表面（４．４）を有する、請求項７に記載の調整装置。
【国際調査報告】
2013544147.tif 000007
2013544147.tif 000008
2013544147.tif 000009
2013544147.tif 000010